(57)【特許請求の範囲】
【請求項１】
前面に開口する貯蔵室内に棚装置を設けてなるオープンショーケースにおいて、前記棚装置は、支柱の係止孔に係止された左右のブラケットと、これらブラケットに支持された棚板とから構成されると共に、前記支柱の係止孔に係止される押さえ具を設け、この押さえ具は、前記係止孔に挿脱自在に挿入係合された挿入片と、この挿入片の後部に挿入時に落下するのを防止するための落下防止部を形成すると共に、前記挿入片を前記ブラケットが係止された係止孔の直上の係止孔に落下防止部の前端を中心に回動して挿入し、挿入した状態で、当該ブラケットの上面に近接、若しくは、当接する押さえ片とを備えたことを特徴とするオープンショーケース。
【発明の詳細な説明】
【０００１】
【発明の属する技術分野】
本発明は、前面に開口する貯蔵室内に棚装置を設けてなるオープンショーケースに関するものである。
【０００２】
【従来の技術】
従来よりこの種のオープンショーケースは、例えば特開平１１−２４１８８０号公報に示される如く、前面に開口する断面略コ字状の断熱壁内を仕切板にて仕切り、この仕切板の前側を貯蔵室とし、後側をダクトとしている。そして、前記貯蔵室内には商品を陳列するための棚装置を複数段架設すると共に、ダクト内には冷却器と送風機を設置し、この冷却器により冷却された冷気を送風機にて前記開口上縁の冷気吐出口から吐出し、開口下縁の冷気吸込口から吸い込む。
【０００３】
これによって、開口に冷気エアーカーテンを形成しつつ、一部を貯蔵室内に循環させて各棚上の商品を冷却する方式とされていた。また、棚装置を、支柱に係止されるブラケットと、このブラケットに取り付けられたレールと、このレールによって前後移動自在とされた棚板とから構成される所謂可動棚とすることにより、この棚板を前後移動可能とし、それによって、商品の納出作業性を向上させていた。
【０００４】
【発明が解決しようとする課題】
しかしながら、ブラケットの爪を支柱の係止孔に挿脱自在に係止するために、係止孔は爪よりも大きく余裕をもって形成されており、そのため、顧客の手が棚前部に下から当たった場合などに、ブラケットの後部（爪側）が浮き上がってしまう。特に、前述の如き可動棚の場合に棚板を前方に移動させた場合には、重心が前方に移動するため、ブラケット後部は浮き上がり易くなる。
【０００５】
本発明は、係る従来の技術的課題を解決するために成されたものであり、棚装置を備えたオープンショーケースにおいて、ブラケットの浮き上がりを簡単且つ効果的に防止若しくは抑制することを目的とする。
【０００６】
【課題を解決するための手段】
上記目的を達成するための手段として、本発明では、前面に開口する貯蔵室内に棚装置を設けてなるオープンショーケースにおいて、前記棚装置は、支柱の係止孔に係止された左右のブラケットと、これらブラケットに支持された棚板とから構成されると共に、前記支柱の係止孔に係止される押さえ具を設け、この押さえ具は、前記係止孔に挿脱自在に挿入係合された挿入片と、この挿入片の後部に挿入時に落下するのを防止するための落下防止部を形成すると共に、前記挿入片を前記ブラケットが係止された係止孔の直上の係止孔に落下防止部の前端を中心に回動して挿入し、挿入した状態で、当該ブラケットの上面に近接、若しくは、当接する押さえ片とを備えたことを特徴とするオープンショーケースを提供する。
【０００７】
本発明によれば、押さえ具の挿入を容易に行うことができると共に、押さえ片を棚装置のブラケットの上面に近接、若しくは、当接させることができ、また、挿入片後部の落下防止部により、挿入片が係止孔より外れて落下することを防止できる支持部材を所定の強度まで容易に補強することができるため、デッキパンに載置する商品に適切に対応できる。
【００１０】
【発明の実施の形態】
以下、図面に基づき本発明の実施形態を詳述する。図１は本発明のオープンショーケース１の斜視図、図２はオープンショーケース１の縦断側面図、図３は補強板２３などを除く棚装置２部分のオープンショーケース１の拡大断面図、図４は棚装置２部分のオープンショーケース１の縦断正面図、図５は棚板３を除く棚装置２部分のオープンショーケース１の平断面図、図６は押さえ具５の斜視図、図７は押さえ具５の挿入時における補強板２３などを除く棚装置２部分の本発明のオープンショーケース１の拡大断面図、図８は補強板２３などを除く棚装置２部分の本発明のオープンショーケース１の拡大斜視図である。
【００１１】
各図において、実施例のオープンショーケース１は、例えばコンビニエンスストアなどに設置されてドリンク類の陳列販売に供されるものであり、前面に開口する断面略コ字状の断熱壁６と、この断熱壁６の左右に取り付けられた透明側板７，７とから構成されている。
【００１２】
この断熱壁６の内側には仕切板８が取り付けられ、その前側を貯蔵室９とし、仕切板８と断熱壁６間をダクト１１としている。断熱壁６の天壁６Ａは底壁６Ｂよりも奥側で終了しており、天壁６Ａの前端下側に冷気吐出口１２が形成され、底壁６Ｂの前端上側に冷気吸込口１３が形成されて、それぞれダクト１１に連通している。
【００１３】
このダクト１１内には冷却装置の冷凍サイクルを構成する冷却器１４と送風機１６が設置され、断熱壁６の底壁６Ｂ下側に構成された機械室１７内には、前記冷却器１４と共に冷凍サイクルを構成する圧縮機１８，凝縮器１９及び凝縮器用送風機２１などが設置されている。
【００１４】
そして、仕切板８の前側の貯蔵室９内には棚装置２が上下複数段に渡って架設されている。各棚装置２・・は、一対のブラケット２２，２２と、棚板３と、補強板２３と、スライドレール２４と、ストッパー４などから構成されている。この場合、仕切板８の左右には棚支柱２６，２６が上下に取り付けられており、この棚支柱２６，２６には複数の係止孔２７・・が上下に所定間隔で形成されている。
【００１５】
そして、所定の高さの係止孔２７に両ブラケット２２，２２の後縁の爪２８，２８が着脱自在に係止されている。このブラケット２２には前記スライドレール２４が前後に取り付けられ、左右のスライドレール２４，２４には前記棚板３が取り付けられて保持される。このスライドレール２４，２４によって棚板３はブラケット２２，２２に対して前後移動自在に支持される。尚、この棚板３は通常の鋼板やステンレス、アルミニウム板などの熱良導性の板材にて構成されている。
【００１６】
また、前記補強板２３は両ブラケット２２，２２間に渡ってビス止めされている。ここで、補強板２３は棚板３が貯蔵室９前方に引き出されたときに棚装置２全体が撓まないように補強するものである。この補強板２３は棚板３の下方に所定の間隔を存して対向しており、これらの間に冷気通路３１が構成されている。また、補強板２３の前端は棚板３の前端よりも手前で終了しており、これら前後間に吹出口３２が形成され、前記冷気通路３１の前端に連通している。
【００１７】
また、この冷気通路３１の後端に対応する位置の仕切板８には左右に渡って複数の透孔３３・・・がパンチングにより穿設されており、これによって、冷気通路３１の後端は送風機１６の下流側のダクト１１に連通している。
【００１８】
更に、補強板２３の前端には上側にコ字状に折曲された折曲部２３Ａが形成されている。また、棚板３の下面前部の両側には、軸３６，３６が取り付けられ、この軸３６，３６に前記ストッパー４が回動自在に枢支されている。
【００１９】
各ストッパー４は奥部内側に鈎状部４Ａが形成され、更にこの鈎状部４Ａの奥側は外側に細くなる傾斜面４Ｂとされており、棚板３が貯蔵室９内に収納された状態で、前記鈎状部４Ａは前記補強板２３の折曲部２３Ａに係脱自在に係合する位置関係とされている。また、このストッパー４の前端は棚板３より前方に少許突出している。
【００２０】
また、各ストッパー４の外面には板バネ４１が取り付けられており、この板バネ４１はスライドレール２４に当接している。そして、この板バネ４１は常時ストッパー４を内側に付勢している。
【００２１】
棚板３が貯蔵室９内に収納されている状態では、前記ストッパー４が板バネ４１により付勢されてその鈎状部４Ａが補強板２３の折曲部２３Ａに係合する。これによって、棚板３が不用意に移動することが無くなる。
【００２２】
そして、棚板３上に商品を補充する際などには、板バネ４１の付勢力に抗じて両ストッパー４，４の前端部を内包に回すと、鈎状部４Ａが折曲部２３Ａから外れる。この状態で、棚板３をスライドレール２４により前方に移動させ、手前に引き出せば、商品の補充が楽に行えるようになる。
【００２３】
作業が終了したら、棚板３を貯蔵室９方向に押し込めば、やがてストッパー４の傾斜面４Ｂが補強板２３の折曲部２３Ａ前面に当接するので、その傾斜に沿ってストッパー４が回動される。そして、棚板３が貯蔵室９内の所定の位置に収納されると、ストッパー４の鈎状部４Ａが折曲部２３Ａの後側に移動するので、板バネ４１の付勢力により、ストッパー４の鈎状部４Ａは補強板２３の折曲部２３Ａに再び係合するものである。
【００２４】
前記冷却装置の圧縮機１８と送風機１６が運転されると、冷却器１４が冷却作用を発揮する。この冷却器１４にて冷却されたダクト１１内の冷気は、送風機１６にて吸い上げられて上方に吹き上げられ、やがて最上部の冷気吐出口１２から貯蔵室９内に吐出される。
【００２５】
また、ダクト１１内を上昇する冷気の一部は、各透孔３３・・・から棚装置２の冷気通路３１内に流入し、この冷気通路３１内を通って前方に移動して前端の吹出口３２から下方に吹き出される。このとき、補強板２３の前端には折曲部２３Ａが形成されており、この部分で冷気通路３１を絞っているので、吹出口３２から吹き出される冷気は整流され、流速が速められる。
【００２６】
そして、貯蔵室９内に吐出或いは吹き出された冷気は最終的に冷気吸込口１３からダクト１１内に帰還する循環を行う（図２に矢印で示す。）
一方、ブラケット２２の上側の棚支柱２６には押さえ具５が取り付けられる。この押さえ具５は、金属板の折曲或いは硬質合成樹脂の一体成型にて構成されており、図６に示す如く本体４２と、この本体４２の上縁から前方に突出する把手片４３と、本体４２の側縁上部から後方に突出する挿入片４４と、この挿入片４４の下方において本体４２の側縁から側方に突出した押さえ片４６を一体に有している。
【００２７】
ここで、図６の押さえ具５は向かって左側の棚支柱２６に取り付けられるものであり、右側の棚支柱２６に取り付けられるものは図６のものと左右対称形状を呈しているものとする。また、挿入片４４の後部には上方に延在する落下防止部４５が形成されており、棚支柱２６の係止孔２７に挿入挿脱自在の形状を呈している。
【００２８】
係る構成で、押さえ具５の把手片４３を持ち、図７に示すようにブラケット２２の最も上の爪２８が係止されている係止孔２７の直上の係止孔２７内に斜め上方に傾けた状態で落下防止部４５を係止孔２７に挿入し、落下防止部４５の前端を中心に回動して把手片４３を水平状態とすることにより挿入することができると共に、挿脱時は挿入時とは反対の動作を行うことにより容易に行える。
【００２９】
このとき、押さえ片４６の位置を前述の如く設定していることにより、押さえ片４６はブラケット２２の上面奥部に当接若しくは略当接（極めて近接した状態）することになる。これにより、棚板３を手前に引き出した場合、重心が前方に移動しても、ブラケット２２の爪２８が持ち上げられ、ブラケット２２後部が浮き上がることが無くなる。
【００３０】
また、押さえ具５の挿入片４４は棚支柱２６の係止孔２７に挿脱自在であるので、棚装置２の取付位置を変更する際にも、簡単に取り付け・取り外しができる。尚、棚支柱２６は図３に示す如く上部が後方となるように傾斜しているので、押さえ具５の本体４２は棚支柱２６の前面に密着した状態で保持される。従って、押さえ具５が振動などによって外れてしまうことも無くなる。
【００３１】
尚、実施例では所謂可動棚を備えたオープンショーケースに本発明を適用したが、それに限らず、通常の棚装置にも本発明は有効である。
【００３２】
【発明の効果】
以上のように、押さえ具の挿入を容易に行うことができると共に、押さえ片を棚装置のブラケットの上面に近接、若しくは、当接させることができ、また、挿入片後部の落下防止部により、挿入片が係止孔より外れて落下することを防止できる支持部材を所定の強度まで容易に補強することができるため、デッキパンに載置する商品に適切に対応できる。
【図面の簡単な説明】
【図１】本発明のオープンショーケースの斜視図である。
【図２】本発明のオープンショーケースの縦断側面図である。
【図３】補強板などを除く棚装置部分の本発明のオープンショーケースの拡大断面図である。
【図４】棚装置部分の本発明のオープンショーケースの縦断正面図である。
【図５】棚板を除く棚装置部分の本発明のオープンショーケースの平断面図である。
【図６】本発明のオープンショーケースの押さえ具の斜視図である。
【図７】押さえ具の挿入時における補強板などを除く棚装置部分の本発明のオープンショーケースの拡大断面図である。
【図８】補強板などを除く棚装置部分の本発明のオープンショーケースの拡大斜視図である。
【符号の説明】
１    オープンショーケース
２    棚装置
３    棚板
５    押さえ具
６    断熱壁
８    仕切板
９    貯蔵室
１１  ダクト
１４  冷却器
１６  送風機
２２  ブラケット
２４  スライドレール
２６  棚支柱
２７  係止孔
２８  爪
４２  本体
４４  挿入片
４６  押さえ片
【図１】
0003973334.tif 000002
【図２】
0003973334.tif 000003
【図３】
0003973334.tif 000004
【図４】
0003973334.tif 000005
【図５】
0003973334.tif 000006
【図６】
0003973334.tif 000007
【図７】
0003973334.tif 000008
【図８】
0003973334.tif 000009